(57)【要約】【課題】  従来、ボタン電話機端末にオプション機器を複数台接続する場合、各オプション機器を区別するためアドレス設定用スイッチを設けたり配線を追加したりする必要があり、比較的簡単な構成でオプション機器を複数台接続可能なボタン電話システムが求められていた。【解決手段】  本発明においては、アドレス情報を出力するＣＰＵ３を有したボタン電話端末１と、この端末１に対し下り及び上り信号線３１、３２を介して接続され、前記端末１から出力されたアドレス情報にもとづき自己のアドレスを特定すると共にこのアドレス情報を更新して出力するＣＰＵ１２を有したＤＳＳ１１（第１のオプション機器）と、このＤＳＳ１１に対し下り及び上り信号線３３、３４を介して接続され、ＤＳＳ１１から送出される前記更新されたアドレス情報にもとづき自己のアドレスを特定するＡＤＭ２１（第２のオプション機器）とを具備した。【選択図】  図１
2005109559.tif 000002
【特許請求の範囲】
【請求項１】
アドレス情報を出力する手段を有したボタン電話装置と、このボタン電話装置に対し上り信号及び下り信号用のケーブルを介して接続され、前記ボタン電話装置から出力されたアドレス情報にもとづき自己のアドレスを特定すると共にこのアドレス情報を更新して出力する手段を有した第１のオプション機器と、この第１のオプション機器に対し上り信号及び下り信号用のケーブルを介して接続され、前記第１のオプション機器から送出される前記更新されたアドレス情報にもとづき自己のアドレスを特定する第２のオプション機器とを具備したことを特徴とするボタン電話システム。
【請求項２】
オプション機器の種別に対応したアドレス情報を出力する手段を有したボタン電話装置と、このボタン電話装置に対し上り信号及び下り信号用のケーブルを介して接続され、前記ボタン電話装置から出力されたオプション機器の種別に対応したアドレス情報にもとづき自己の種別に対応したアドレスを特定すると共にこの種別に対応したアドレス情報を更新して出力する手段を有した第１のオプション機器と、この第１のオプション機器に対し上り信号及び下り信号用のケーブルを介して接続され、前記第１のオプション機器から送出される前記更新されたアドレス情報にもとづき自己の種別に対応したアドレスを特定する第２のオプション機器とを具備したことを特徴とするボタン電話システム。
【請求項３】
請求項２記載のボタン電話システムにおいて、前記第１及び第２のオプション機器は互いに種類の異なる機能を有した機器であることを特徴とするボタン電話システム。
【請求項４】
請求項１乃至３記載のボタン電話システムにおいて、前記ボタン電話装置及び前記第１、第２のオプション機器はリセット信号ラインで接続されていることを特徴とするボタン電話システム。
【請求項５】
アドレス情報を出力する手段を有したボタン電話装置またはそのオプション機器に対して上り及び下り信号用のケーブルを介して接続可能に構成され、前記ボタン電話装置または前記オプション機器から前記アドレス情報を受信した場合には、そのアドレス情報にもとづき自己のアドレスを特定すると共に前記受信したアドレス情報を更新して出力する手段を具備したことを特徴とするボタン電話装置のオプション機器。
【発明の詳細な説明】
【技術分野】
【０００１】
本発明は、ボタン電話システム及びボタン電話装置のオプション機器に関する。
【背景技術】
【０００２】
ボタン電話機端末にはボタンの機能を拡張するためにＡＤＭ（Add-on Module）やＤＳＳ（Direct Station Selection）といった機器をオプション機器として接続することが多く行なわれている。そして複数のオプション機器を接続する場合、コネクタの数を減らすために、上記オプション機器を並列接続して使用している。特許文献１には、小容量ボタン電話装置の拡張に関するものではあるが、上記並列接続による装置の拡張の例が示されている。
【０００３】
しかしながら、同一機能のオプション機器を複数台接続する場合は、各機器を区別する必要があり、この方法として端末アドレス設定用スイッチを設けてこれによりアドレスを設定したり、コネクタに設定用配線を設けておく等の方法が考えられる。ところが、アドレス設定用スイッチを設ける方法では、設置工事時に設定が必要となることからサービス性が悪くなり、さらに、スイッチが高価であることから装置の価格が高くなる等の問題があった。配線を追加する方法では、一般的に２台までしか区別がつかないという問題があった。
【特許文献１】特開２００１−１１２０３５号公報（第５頁、図３乃至図４）
【発明の開示】
【発明が解決しようとする課題】
【０００４】
上述したように、従来、ボタン電話機端末にオプション機器を複数台接続する場合、各オプション機器を区別するためにアドレス設定用スイッチを設けたり、配線を追加したりする必要があり問題であった。本発明はこのような点に鑑みてなされたもので、比較的簡単な構成でオプション機器を複数台接続することが可能なボタン電話システム及び、ボタン電話装置のオプション機器を提供することを目的とする。
【課題を解決するための手段】
【０００５】
上記目的を達成するために、請求項１にかかるボタン電話システムは、アドレス情報を出力する手段を有したボタン電話装置と、このボタン電話装置に対し上り信号及び下り信号用のケーブルを介して接続され、前記ボタン電話装置から出力されたアドレス情報にもとづき自己のアドレスを特定すると共にこのアドレス情報を更新して出力する手段を有した第１のオプション機器と、この第１のオプション機器に対し上り信号及び下り信号用のケーブルを介して接続され、前記第１のオプション機器から送出される前記更新されたアドレス情報にもとづき自己のアドレスを特定する第２のオプション機器とを具備したことを特徴とするものである。
【０００６】
また、請求項２にかかるボタン電話システムは、オプション機器の種別に対応したアドレス情報を出力する手段を有したボタン電話装置と、このボタン電話装置に対し上り信号及び下り信号用のケーブルを介して接続され、前記ボタン電話装置から出力されたオプション機器の種別に対応したアドレス情報にもとづき自己の種別に対応したアドレスを特定すると共にこの種別に対応したアドレス情報を更新して出力する手段を有した第１のオプション機器と、この第１のオプション機器に対し上り信号及び下り信号用のケーブルを介して接続され、前記第１のオプション機器から送出される前記更新されたアドレス情報にもとづき自己の種別に対応したアドレスを特定する第２のオプション機器とを具備したこ
とを特徴とするものである。
【０００７】
さらに、請求項３にかかるボタン電話システムは、請求項２記載のボタン電話システムにおいて、前記第１及び第２のオプション機器は互いに種類の異なる機能を有した機器であることを特徴とするものである。
【０００８】
請求項４にかかるボタン電話システムは、請求項１乃至３記載のボタン電話システムにおいて、前記ボタン電話装置及び前記第１、第２のオプション機器はリセット信号ラインで接続されていることを特徴とするものである。
【０００９】
請求項５にかかるボタン電話装置のオプション機器は、アドレス情報を出力する手段を有したボタン電話装置またはそのオプション機器に対して上り及び下り信号用のケーブルを介して接続可能に構成され、前記ボタン電話装置または前記オプション機器から前記アドレス情報を受信した場合には、そのアドレス情報にもとづき自己のアドレスを特定すると共に前記受信したアドレス情報を更新して出力する手段を具備したことを特徴とするものである。
【発明の効果】
【００１０】
本発明によれば、比較的簡単な構成でボタン電話装置にオプション機器を複数台接続することが可能なボタン電話システム及び、ボタン電話装置のオプション機器を提供することが出来る。
【発明を実施するための最良の形態】
【００１１】
以下、本発明になるボタン電話システム及び、ボタン電話装置のオプション機器の実施の形態について図面を参照して説明する。
【００１２】
図１は本発明になるボタン電話システム及び、ボタン電話装置のオプション機器の一実施の形態を示す回路ブロック図である。
【００１３】
図中、１はボタン電話装置であるボタン電話端末である。この端末１にはＬＡＮインタフェース２及び中央処理装置（ＣＰＵ）３が設けられている。１１はボタン電話端末１に接続され、ボタン電話端末１のボタン機能の拡張を行なうためのオプション機器であるＤＳＳである。１２はＤＳＳ１１における各種制御を行なうためのＣＰＵである。さらに２１は、ＤＳＳ１１に従属接続され、ボタン電話端末１のボタン機能の拡張を行なうためのオプション機器であるＡＤＭである。２２はＡＤＭ２１における各種制御を行なうためのＣＰＵである。
【００１４】
上記ボタン電話端末１とＤＳＳ１１間には、それぞれのＣＰＵ３及び１２間でデータをやり取りするための下りデータ信号線３１、上りデータ信号線３２が設けられている。なお、下りデータ信号線３１、上りデータ信号線３２は図示しないがＬＡＮケーブル内に収納されている。また、下りデータ信号線３１、上りデータ信号線３２におけるデータ転送形式は、この実施の形態においてはＵＡＲＴ形式が採用されている。
【００１５】
一方、ＤＳＳ１１とＡＤＭ２１間には、それぞれのＣＰＵ１２及び２２間でデータをやり取りするための下りデータ信号線３３、上りデータ信号線３４が設けられている。なお、下りデータ信号線３２、上りデータ信号線３４は図示しないがＬＡＮケーブル内に収納されている。また、下りデータ信号線３３、上りデータ信号線３４におけるデータ転送形式は、ＵＡＲＴ形式が採用されている。
【００１６】
さらに、３５、３６はボタン電話端末１からＤＳＳ１１及びＡＤＭ２１に電源を供給す
るための電源線であり、それぞれボタン電話端末１の電源Ｖｃｃ及びＧＮＤに接続されている。３７は、ボタン電話端末１からＤＳＳ１１及びＡＤＭ２１にリセット信号を供給するためのリセット信号線であり、ボタン電話端末１のＣＰＵ３とＤＳＳ１１及びＡＤＭ２１の各ＣＰＵ１２及び２２を結んでいる。
【００１７】
次に、図１のボタン電話システムにおけるオプション機器であるＤＳＳ１１およびＡＤＭ２１の機器アドレスの決定動作につき図２及び図３も用いて説明する。図２は、オプション機器での機器アドレスの決定動作を説明するためのフローチャート、図３はアドレスデータを説明するための図である。
【００１８】
まず、ボタン電話端末１は後段に接続されたＤＳＳ１１にて機器アドレスが決定できるようＣＰＵ３から下りデータ信号線３２を介してＤＳＳ１１のＣＰＵ１２に対しアドレス指定コマンドとアドレスデータを送信する。アドレス指定コマンドはＤＳＳ１１にてアドレスを設定させるための命令信号であり１バイトの信号である（図示せず）。また、アドレスデータは図３（Ａ）に示した形式となっている。データＤ７、Ｄ６はデータ長を示し、データＤ５、Ｄ４、Ｄ３はＤＳＳ１１用のアドレス情報を、データＤ２、Ｄ１、Ｄ０はＡＤＭ２１用のアドレス情報を示している。
【００１９】
次にＤＳＳ１１ではボタン電話端末１のＣＰＵ３から下りデータ信号線３２を介して送信されたアドレス指定コマンドとアドレスデータ（図３（Ｂ）参照）をＣＰＵ１２にて受信し（図２のステップＳ１）、これに基づき（正確には、アドレスデータのうち該当機種部分のアドレスデータに基づき）自己のアドレスを決定する（図２のステップＳ２）。すなわち、ＣＰＵ３から送付されてきたアドレスデータのうち該当する機種部分のアドレスデータ（ここではＤＳＳ用のデータＤ５乃至Ｄ３）を確認し、自己のアドレスとする。この場合、００１がＤＳＳ１１のアドレスとなる。その後、ＣＰＵ１２は該当する機種部分のアドレスデータ（Ｄ５乃至Ｄ３）をインクリメント（ここでは１を加算／図３（Ｃ）のアドレスデータを参照）（図２のステップＳ３）した後、後段のＡＤＭ２１のＣＰＵ２２にこのアドレスデータを送る（図２のステップＳ４）。以上で、ＤＳＳ１１の動作は終了する。
【００２０】
ＡＤＭ２１のアドレス決定動作は、ＤＳＳ１１のそれと同様である。すなわち、ＡＤＭ２１では、ＣＰＵ２２が該当する機種部分のアドレスデータ（ここではＡＤＭ用のデータＤ１乃至Ｄ３）を確認し、自己のアドレスとする。すなわち、００１がＡＤＭ２１のアドレスとなる。なお、ＡＤＭ２１の後段にオプション機器（図示せず）が接続される場合は、ＣＰＵ２２は該当する機種部分のアドレスデータデータ（Ｄ１乃至Ｄ３）をインクリメント（ここでは１を加算／図３（Ｄ）のアドレスデータを参照）して図示せぬ後段のオプション機器にこのアドレスデータを送ることになる。
【００２１】
なお、本実施の形態においては、ＤＳＳ１１のＣＰＵ１２やＡＤＭ２１のＣＰＵ２２が何らかの理由で誤動作を起こした場合等に、ボタン電話端末のＣＰＵ３からリセット信号がリセット信号線３７を介してＤＳＳ１１やＡＤＭ２１に出力され、リセット動作が行なわれるようになっている。
【００２２】
また、上述した実施の形態においては、ボタン電話システムにおけるオプション機器として２種類の機器（すなわちＤＳＳ及びＡＤＭ）しか存在しない（提供しない）場合を念頭においている。したがって、例えば、３種類の機器が存在する場合（３種類のオプション機器を提供する場合）は、アドレスデータを８バイト２組で構成し、後半の８バイトの特定位置に第３のオプション機器にかかるアドレスを入れるようにすれば良い。
【００２３】
最後に、上述したＤＳＳやＡＤＭのボタン電話端末に対する外観的な接続状態を、上述
した図１の接続とは異なる接続例としての図４及び図５を用いて説明する。図４はボタン電話端末にＡＤＭを２台接続する場合の外観図であり、図中４１はボタン電話端末、４２、４３はＡＤＭ、４４はボタン電話端末４１とＡＤＭ４２とを接続するための接続用ケーブル、４５はＡＤＭ４２とＡＤＭ４３とを接続するための接続用ケーブルである。
【００２４】
一方、図５はボタン電話端末にＤＳＳを３台接続する場合の外観図であり、図中５１はボタン電話端末、５２乃至５４はＤＳＳ、５５乃至５７はそれぞれ、ボタン電話端末５１とＤＳＳ５２とを、ＤＳＳ５２と５３とを、ＤＳＳ５３と５４とを接続する接続用ケーブルである。図４乃至図５から理解されるように、端末とＡＤＭ、ＤＳＳは、いずれも図示せぬ支持部材を用いて横方向に接続される。
【図面の簡単な説明】
【００２５】
【図１】本発明になるボタン電話システム及び、ボタン電話装置のオプション機器の一実施の形態を示す回路ブロック図。
【図２】オプション機器であるＤＳＳ１１における機器アドレスの決定動作を説明するためのフローチャート。
【図３】オプション機器であるＤＳＳ１１およびＡＤＭ２１の機器アドレスのアドレスデータを説明するための図。
【図４】本発明になるボタン電話システムの他の実施の形態を示す外観図。
【図５】本発明になるボタン電話システムのさらに他の実施の形態を示す外観図。
【符号の説明】
【００２６】
１：  ボタン電話端末
３：  ＣＰＵ
１１：  ＤＳＳ
１２：  ＣＰＵ
２１：  ＡＤＭ
２２：  ＣＰＵ
３１、３３：  下りデータ信号線
３２、３４：  上りデータ信号線
３７：  リセット信号線
【図１】
2005109559.tif 000003
【図２】
2005109559.tif 000004
【図３】
2005109559.tif 000005
【図４】
2005109559.tif 000006
【図５】
2005109559.tif 000007